(57)【特許請求の範囲】
【請求項１】
少なくとも１つのＬＡＮ、およびＬＡＮ端末に接続され、受信したフレームの経路情報に基づいて、該当する宛先端末が接続されているポートにのみ、当該フレームを出力するＬＡＮ間接続制御部と、
接続されている装置の状態を管理する運用管理装置からの運用情報の読み出し、書き込みを行う要求に対して応答する機能を有し、少なくとも１個のＬＡＮのメディアアクセス制御部を有している被ネットワーク管理部と、
を具備するＬＡＮ間接続装置であって、
上記ＬＡＮ間接続制御部における、ある１つのポートのスイッチ部のメディアアクセス制御部あるいは、上記被ネットワーク管理部のメディアアクセス制御部を選択するメディアスイッチ部と、
このメディアスイッチ部の選択動作を制御するメディアスイッチ制御部と、
を有することを特徴とするＬＡＮ間接続装置。
【請求項２】
上記ＬＡＮ間接続制御部の全てのポートに上記メディアスイッチ部を設けて、上記運用管理装置がどのポートに接続されているかを検出することを特徴とする請求項１記載のＬＡＮ間接続装置。
【請求項３】
装置内の温度を検出する温度検出部と、
上記ＬＡＮ間接続制御部に電源を供給するとともに、出力が上記被ネットワーク管理部からの制御信号により制御される、少なくとも１個以上の電源制御部と、
上記温度検出部により所定の温度以上の温度が検出されたときに、上記ＬＡＮ間接続制御部への電源供給を停止させる電源停止手段と、
を具備することを特徴とする請求項１記載のＬＡＮ間接続装置。
【請求項４】
上記温度検出部により所定の温度以上の温度が検出されたときに、各部への電源供給を停止させるとともに、上記メディアスイッチ部に上記被ネットワーク管理部のメディアアクセス部を選択させて、上記運用管理装置に対して温度異常を通知するようにしたことを特徴とする請求項３記載のＬＡＮ間接続装置。
【発明の詳細な説明】
【０００１】
【発明の属する技術分野】
本発明は、ＬＡＮ間接続装置に関するものである。
【０００２】
【従来の技術】
ＬＡＮ間接続装置、とりわけフレームの宛先情報をハードウェアでチェックし、転送宛先ポートにのみフレームを中継するスイッチ機能を有する装置（以下スイッチングハブ）が、価格対性能比の良さからかなりの普及を見せている。ＬＡＮの伝送速度が、従来の１０Ｍｂｐｓから１００Ｍｂｐｓへ移行したことにより、このようなスイッチングハブがより一層従来のリピータ型ハブに置き換えられている。
【０００３】
スイッチングハブを運用管理装置（ネットワークマネジャ）により管理させようとした場合、スイッチングハブにネットワーク管理プロトコルの解釈と管理情報のデータベースを備える必要がある。この機能は通常、マイクロプロセッサによるソフトウェアにより実現し、このソフトウェアを合わせた部分をマネジャに対してエージェントと呼ぶ。マネジャからの情報の読み出しや書き込みのフレームをエージェントが受け取るため、いくつかの手段によりスイッチングハブにこのエージェント部分が接続されている。
【０００４】
例えば、エージェントを実現するマイクロプロセッサの周辺回路にネットワークコントローラ（メディアアクセス制御部）を実装し、そのネットワークコントローラのネットワーク側にスイッチングハブの１ポートを固定的に接続する事によって、マネジャとのフレームの通信を実現する方法や、スイッチング制御部に、あらかじめエージェント部へのフレームの転送機能を持たせ、エージェント宛のフレームを受信すると、あたかもネットワークコントローラのごとく、マイクロプロセッサから読み出し、書き込み可能なフレームバッファへ受信フレームを書き込む機能を有するもの等がある。いずれの方法を採っても、マネジャとエージェント間の通信は、必ずスイッチング制御部を経由しなければ不可能であった。
【０００５】
また、従来の１０Ｍｂｐｓのリピータハブでは、スイッチングハブに対して低速な電気回路で実現されているため、相対的に低消費電力であり、よって、装置自体が特別な冷却機能を有していない場合が多かった。しかし、伝送速度が１００Ｍｂｐｓになり、かつ内部に高速なスイッチング回路を有するスイッチングハブの場合には、相対的に高消費電力であり、装置自体にファン等の冷却機能を有するのが一般的である。ファンの寿命は、装置の寿命に対し短いことがふつうであり、そのための運用コストの増大を管理者は検討しなければならない。
【０００６】
この冷却のためのファンを無くすためには、装置自体の低消費電力化のみでは達成できず、設置環境に対する条件がファンを備えている構成に比べてより厳密な管理を求められ、そこでのコストの増大や、空調設備によるトータルとしての消費電力が増大する可能性もある。ネットワーク機器は概ね終日、通電状態で使用される。これは、接続される端末がいつでもネットワークに接続できることを保証するためである。そのため、夜間等ほとんど無通信で、接続されている端末の電源も落とされている場合に置いても、スイッチングハブ等は電源が入れられたままで運用されている。
【０００７】
スイッチングハブは、一般的な執務環境で使用される場合がほとんどで、昼間の時間帯の場合には、動作に耐えられる温度環境で使用され、なおかつ、冷却装置の故障により装置の動作が異常となった場合には、人間系（保守員やネットワーク管理者）でその処置が可能である。しかし、夜間等無人の状態で、冷却装置が故障した場合には、ファン停止アラームや装置内の温度監視により、強制的に電源がＯＦＦするか、あるいはそのままの状態で放置されて装置内が非常に高温になってしまうかのいずれかである。
【０００８】
【発明が解決しようとする課題】
従来のスイッチを用いたＬＡＮ間接続装置では、以下のような問題点がある。
【０００９】
・マネジャ側からは、ＬＡＮ間接続装置が応答できなくなっている場合に、スイッチング制御部に異常があるのか、エージェント部分に異常があるのかを把握できない。
【００１０】
・スイッチング制御部に異常があると、マネジャとエージェント間の通信ができなくなる。これは、エージェント部分がスイッチング制御部を経由して管理フレームの通信を行うことによる。
【００１１】
・冷却のための強制空冷装置を付けることによる点検整備費用等のランニングコストの増大。
【００１２】
・夜間等のほとんど無通信状態での無駄な電力消費。
【００１３】
・夜間等の周囲温度上昇に伴う装置内の異常加熱による通信異常。
【００１４】
・冷却装置の故障によるネットワークダウンタイムの増大。これは、スイッチングハブの高消費電力に起因する。
【００１５】
本発明はこのような課題に着目してなされたものであり、その目的とするところは、（１）スイッチング制御部に異常があっても、マネジャから管理が続行でき、異常箇所の特定が行える、（２）冷却のための強制空冷装置を不要とすることにより、ランニングコストを低減させることができる、（３）夜間等のほとんど無通信状態での無駄な電力消費を低減させるとともに、高温状態を防ぐことにより、通信異常を低減させることができる、（４）冷却装置の故障によるネットワークダウンタイムの増大をなくすことができる、ＬＡＮ間接続装置を提供することにある。
【００１６】
【課題を解決するための手段】
上記の目的を達成するために、第１の発明に係るＬＡＮ間接続装置は、少なくとも１つのＬＡＮ、およびＬＡＮ端末に接続され、受信したフレームの経路情報に基づいて、該当する宛先端末が接続されているポートにのみ、当該フレームを出力するＬＡＮ間接続制御部と、接続されている装置の状態を管理する運用管理装置からの運用情報の読み出し、書き込みを行う要求に対して応答する機能を有し、少なくとも１個のＬＡＮのメディアアクセス制御部を有している被ネットワーク管理部とを具備するＬＡＮ間接続装置であって、上記ＬＡＮ間接続制御部における、ある１つのポートのスイッチ部のメディアアクセス制御部あるいは、上記被ネットワーク管理部のメディアアクセス制御部を選択するメディアスイッチ部と、このメディアスイッチ部の選択動作を制御するメディアスイッチ制御部とを有する。
【００１７】
また、第２の発明に係るＬＡＮ間接続装置、第１の発明において、上記ＬＡＮ間接続制御部の全てのポートに上記メディアスイッチ部を設けて、上記運用管理装置がどのポートに接続されているかを検出する。
【００１８】
また、第３の発明に係るＬＡＮ間接続装置は、第１の発明において、装置内の温度を検出する温度検出部と、上記ＬＡＮ間接続制御部に電源を供給するとともに、出力が上記被ネットワーク管理部からの制御信号により制御される、少なくとも１個以上の電源制御部と、上記温度検出部により所定の温度以上の温度が検出されたときに、上記ＬＡＮ間接続制御部への電源供給を停止させる電源停止手段とを具備する。
【００１９】
また、第４の発明に係るＬＡＮ間接続装置は、第３の発明に係るＬＡＮ間接続装置において、上記温度検出部により所定の温度以上の温度が検出されたときに、各部への電源供給を停止させるとともに、上記メディアスイッチ部に上記被ネットワーク管理部のメディアアクセス部を選択させて、上記運用管理装置に対して温度異常を通知する。
【００２２】
【発明の実施の形態】
（構成の説明）
以下、図面を参照して本発明の実施形態を詳細に説明する。図１は、本実施形態に係るＬＡＮ間接続装置を適用したネットワーク構成を示す図である。図１において、ＳＷ−１（１００）、ＳＷ−２（１０１）、ＳＷ−３（１０２）は、スイッチングハブである。スイッチングハブＳＷ−１（１０１）内の数字はポート番号であり、ポート１にはスイッチングハブＳＷ−２（１０１）が接続され、ポート２，３、…、ｎには端末Ｐ１１〜Ｐ１ｎが接続されている。スイッチングハブＳＷ−２（１０１）には、ネットワークマネジャＭ２１と、サーバコンピュータＳ２１とが接続されている。スイッチングハブＳＷ−３（１０２）には、端末Ｐ３１〜Ｐ３ｎがそれぞれ接続されている。
【００２３】
ネットワークマネジャＭ２１はＬＡＮ間接続装置の状態を管理する運用管理装置である。
【００２４】
図２はスイッチングハブのハードウェア構成を示す図である。スイッチ型ＬＡＮ間接続制御部（スイッチングコア）ＳＷＣＯＲＥ（１０１−２）は、複数のＬＡＮ、およびＬＡＮ端末に接続され、受信したフレームの経路情報により、該当する宛先端末が接続されているポートにのみ、そのフレームを出力する機能を有する。被ネットワーク管理部（エージェント）ＡＧＥＮＴ（１０１−１）は、ネットワークマネジャからの、運用情報（MIB:Management Information Base)の読み出し、書き込みを行う要求に対する応答機能を有し、少なくとも１個のＬＡＮのメディアアクセス制御部を有している。メディアスイッチ部ＭＩＩ−ＳＷ１は、スイッチングコアＳＷＣＯＲＥ（１０１−２）のある１つのポートのスイッチ部のメディアアクセス制御部ＭＡＣ（ここではＭＡＣ１）あるいは、エージェントＡＧＥＮＴ（１０１−１）のメディアアクセス制御部ＭＡＣｍを選択し、物理層制御部ＰＨＹ１に接続するスイッチ機能を有する。メディアスイッチ制御部ＣＮＴ４は、前記メディアスイッチ部ＭＩＩ−ＳＷ１を外部スイッチやエージェント部からの信号により制御する。
【００２５】
以下に図２に示すハードウェア構成の各要素について説明する。まず、スイッチングコアＳＷＣＯＲＥ（１０１−２）側の構成について説明する。
【００２６】
ＡＲＬは、アドレスとポート番号を登録・検索する部分である。ＣＡＭ(Contents addressable memory)やＨＡＳＨによるメモリにより実現される。
【００２７】
ＣＮ１−ＣＮｎは、物理メディアであるケーブルを接続するコネクタである。
【００２８】
ＰＨＹ１−ＰＨＹｎは物理制御部であり、ＣＮ１−ＣＮｎから受信した信号からクロックを抽出し、ｂｉｔ同期を確立し、後述するＭＡＣ１−ＭＡＣｎへその信号を転送する。またＭＡＣ１−ＭＡＣｎから送られた信号をＣＮ１−ＣＮｎへ送信する。メディア送受信部とも呼ばれる。また、相手装置間のリンク制御やメディア決定のための調停を行う機能を有する。
【００２９】
ＭＡＣ１−ＭＡＣｎは、メディアアクセス制御部である。ＰＨＹ１〜ＰＨＹｎからの信号に基づいてフレームを生成し、後述するＳＷＣＴＲＬへ転送するとともに、ＳＷＣＴＲＬから転送されてきたフレームをＰＨＹ１〜ＰＨＹｎへ送信する。
【００３０】
ＳＷＣＴＲＬはスイッチング制御部であり、フレームのスイッチングを行う部分である。ＭＡＣ１−ＭＡＣｎから受け取ったフレームからＡＲＬにより宛先のポートを抽出し、該当するポートのＭＡＣ１−ＭＡＣｎへ転送する。もし、宛先が自分自身であった場合には、後述するＭＥＭへそのフレームを転送する。数字の１，２−ｎは、ポート番号である。
【００３１】
次にエージェントＡＧＥＮＴ（１０１−１）側の構成について説明する。
【００３２】
ＭＰＵは、マイクロプロセッサであり、装置の監視、管理をソフトウェアにより実行する部分である。
【００３３】
ＴＨＭは、装置内の温度監視を行う部分（温度検知部）で、その内容はＭＰＵより読み出すことができる。
【００３４】
ＭＥＭは、ＭＰＵ用のプログラムデータを格納するメモリである。
【００３５】
ＣＮＴ１は、ＭＰＵとＳＷＣＴＲＬの制御部分間のインタフェース部分である。
【００３６】
ＣＮＴ２は、ＳＷＣＴＲＬが自分当てのフレームを転送する場合のＭＥＭへの転送を制御する部分である。
【００３７】
ＣＮＴ３は、ＭＰＵとＭＡＣ１−ＭＡＣｎの制御部分間のインタフェース部分である。
【００３８】
ＣＮＴ４は、ＭＰＵとＭＩＩ−ＳＷ１の制御部分間のインタフェース部分である。
【００３９】
ＭＡＣｍは、メディアアクセス制御部であり、ＭＩＩ−ＳＷ１から出力された信号からフレームを生成し、ＭＥＭへ書き込むとともに、ＭＰＵからの送信要求により、ＭＥＭからフレームを取り出し、ＭＩＩ−ＳＷ１へ送信する。
【００４０】
ＢＵＳ１はバスである。
【００４１】
ＭＩＩ−ＳＷ１は上記したように、ＰＨＹ１とＭＡＣ１とＭＡＣｍ間にあって、ＣＮＴ４の信号により、３者の接続を制御するメディアスイッチ部である。
【００４２】
図３は図２に示すメディアスイッチ部ＭＩＩ−ＳＷ及びその周辺の構成を示す図である。
【００４３】
図３において、ＰＨＹ−１，ＭＩＩ−ＳＷ１，ＭＡＣｍ，ＭＡＣ１，ＣＴＬ４は、図２の各ブロックに示したものと同一である。ＭＩＩ−Ａは、ＭＡＣｍとのインタフェースである。ＭＩＩ−Ｂは、ＭＡＣ１とのインタフェースである。ＭＩＩ−Ａ、ＭＩＩ−ＢのＴＸＤ［３：０］，ＴＣＬＫ，ＴＸＥ，ＲＸＤ［３：０］，ＲＣＬＫ，ＣＲＳ，ＣＯＬ，ＭＤＣ，ＭＤＩ０は、ＰＨＹ−１とＭＡＣ間の信号である。セレクタＳＥＬのＡ，Ｂは、ＰＨＹ−１とＭＩＩ−Ａ，ＭＩＩ−Ｂの接続に関する制御入力部である。
【００４４】
受信信号ＴＣＬＫ，ＲＸＤ［３：０］，ＲＣＬＫ，ＣＲＳ，ＣＯＬは、インタフェースＭＩＩ−Ａ及びＭＩＩ−Ｂに供給されるが、ＣＮＴ４からの制御信号によりどちらかが選択されてＭＡＣｍまたはＭＡＣ１に供給される。
【００４５】
また、インタフェースＭＩＩ−Ａの送信信号ＴＸＤ［３：０］，ＴＸＥ，ＭＤＣ，ＭＤＩ０は、セレクタＳＥＬの制御入力部Ａに供給され、インタフェースＭＩＩ−Ｂの送信信号ＴＸＤ［３：０］，ＴＸＥ，ＭＤＣ，ＭＤＩ０は、セレクタＳＥＬの制御入力部Ｂに供給されるが、ＣＮＴ４からの制御信号によりどちらかが選択されてＰＨＹ−１に送られる。
【００４６】
図４は電源制御部の構成例を示す図である。ＰＳは、装置の主電源であり、装置全体に電源を供給する。図４において、ＡＧＥＮＴ，ＭＩＩ−ＳＷ，ＰＨＹ１，ＳＷＣＴＲＬ，ＡＲＬ，ＭＡＣ１，ＭＡＣ２，ＰＨＹ２，ＭＡＣｎ，ＰＨＹｎは、図２の構成と同じものである。ＰＳ−１，ＰＳ−２，ＰＳ−３，ＰＳ−ｎは分散配置された電源制御部である。この電源制御部ＰＳ−１，ＰＳ−２，ＰＳ−３，ＰＳ−ｎは、主電源ＰＳから供給される電源を、ＡＧＥＮＴの制御信号Ｃ１，Ｃ２，Ｃ３，Ｃｎに基づいて制御（停止）する機能を持つ。すなわち、ＭＩＩ−ＳＷ，ＰＨＹ１に供給される電源はＰＳ−１により制御され、ＳＷＣＴＲＬ，ＡＲＬに供給される電源はＰＳ−２により制御され、ＭＡＣ１，ＭＡＣ２，ＰＨＹ２に供給される電源はＰＳ−３により制御され、ＭＡＣｎ，ＰＨＹｎに供給される電源はＰＳ−ｎにより制御される。
【００４７】
図５はスイッチングハブの第２のハードウェア構成例を示す図である。ＭＩＩ−ＳＷ２，ＭＩＩ−ＳＷｎ以外は、図２と同じである。ＭＩＩ−ＳＷ２，ＭＩＩ−ＳＷｎは、ＭＩＩ−ＳＷ１と同じＭＡＣ２，ＭＡＣｎとＰＨＹ２，ＰＨＹｎと、ＭＡＣｍ間をＣＮＴ４により接続制御するスイッチである。
【００４８】
次に、上記した構成を機能の観点から説明する。すなわち、スイッチングコアＳＷＣＯＲＥ（１０１−２）は、フレームの中継機能を実現するために以下の基本的な機能を備えている。
【００４９】
１．ＬＡＮに接続するための物理的なケーブル配線
２．ケーブルを接続するコネクタ（ＣＮ１〜ＣＮｎ）
３．コネクタ（ＣＮ１〜ＣＮｎ）を介してケーブルへ電気信号や光信号を出力し、またケーブルから出力される電気信号や光信号を受信する複数の物理制御部（ＰＨＹ１〜ＰＨＹｎ）
４．複数の物理制御部（ＰＨＹ１〜ＰＨＹｎ）に対し、ある決められたメディアアクセス方法を実行して、他のメディアアクセス制御部から転送されてきたフレームを送信する機能
５．複数の物理制御部（ＰＨＹ１〜ＰＨＹｎ）が受信した電気信号からフレームを抽出し、バッファへ一時的に格納する機能とを有する複数のメディアアクセス部（ＭＡＣ１〜ＭＡＣｎ）
６．複数のメディアアクセス部から出力される受信フレームから経路情報を抽出し、データベースへ登録する機能を有するアドレス学習（ＡＲＬ）部
７．複数のメディアアクセス部（ＭＡＣ１〜ＭＡＣｎ）から出力された受信フレームの経路情報から、アドレス学習（ＡＲＬ）部により生成された経路情報に関するデータベースを検索し、中継先のメディアアクセス部を決定し、中継先のメディアアクセス部にバッファから読み出して、転送制御する機能を有するスイッチング制御部（ＳＷＣＴＲＬ）
また、エージェントＡＧＥＮＴ（１０１−１）は、以下に示すような基本的機能を備えている。
【００５０】
１．上記の各機能部の状態を監視し、管理情報のためのデータベース（ＭＩＢ）を生成する機能
２．ＭＩＢの読み出し、書き込みをネットワーク経由で制御する手順（ＮＭＰ）を実行する機能
３．スイッチングコアＳＷＣＯＲＥに対し、フレームの送受信を行う機能。
【００５１】
さらに本実施形態では、以上の基本的機能に加えて以下の機能を備えていることを特徴とする。
【００５２】
（ＳＷＣＯＲＥに対して）
１．ＰＨＹ１とＭＡＣ１間にあって、外部の制御信号により、その接続を遮断し、他のＭＡＣへ接続するパスを生成するスイッチ（ＭＩＩ−ＳＷ）
２．上記ＭＩＩ−ＳＷを全てのＰＨＹとＭＡＣ間に配置し、いかなるポートともＡＧＥＮＴのＭＡＣｍを接続可能な状態にしておく機能（図５のＭＩＩ−ＳＷ１〜Ｍ１１−ＳＷｎ）
３．ＰＨＹ、ＭＡＣ、ＡＲＬ、ＳＷＣＴＲＬの各部には、外部の設定により低消費電力モードへ移行する機能
４．ＳＷＣＯＲＥの各部に対する電源供給が、ＡＧＥＮＴからの制御により制御可能な電源制御部（図４のＰＳ−１〜ＰＳ−ｎ）
なお、この電源制御部は、ＳＷＣＯＲＥ内の電源供給を細分化して、制御できるように複数持たせることも可能である。
【００５３】
（ＡＧＥＮＴに対して）
１．ＡＲＬの情報を読み出し、ネットワーク管理を行う管理装置（マネジャ：ＮＭＳ）が接続されているポート番号を検索する機能（ＭＰＵ／ＳＷＣＯＲＥのＡＲＬ）
２．ＳＷＣＯＲＥとの接続とは別に持つメディアアクセス制御部（図２、図５のＭＡＣｍ）
３．２．におけるＭＡＣｍをＳＷＣＯＲＥのＭＩＩ−ＳＷに接続し、そのＭＩＩ−ＳＷを制御する機能（ＭＰＵ）
４．装置内の温度を測定する機能（図２、図５のＴＨＭ）
５．各部の低消費電力モードの設定か、電源制御かを行う機能（ＭＰＵ、Ｓ／Ｗ）
６．ネットワーク管理を行う管理装置（マネジャ：ＮＭＳ）との間で、消費電力モードに関する設定を行う手順を実行する機能（ＭＰＵ、Ｓ／Ｗ）
７．ＮＭＳに対し、装置内の電力や温度に関する情報を通知する機能（ＭＰＵ、Ｓ／Ｗ）
を有することにより、以下の機能を実現する。
【００５４】
本実施形態では上記した機能を備えることにより、
１．ＳＷＣＯＲＥの状態をＡＧＥＮＴが監視し、ＳＷＣＴＲＬ部やＡＲＬ等、全てのスイッチング動作に影響を与える部分に異常が発生した場合には、ＭＩＩ−ＳＷを制御し、ＡＧＥＮＴのＭＡＣｍとＰＨＹを接続させることにより、ＮＭＳとＡＧＥＮＴ間の通信を続行させる。
【００５５】
２．装置内の温度を測定し、ある閾値を超えた場合には、電源制御部ＰＳに対してＳＷＣＯＲＥに対する電源供給を停止させる指令を送ることにより、装置内温度の異常状態を回避させる。
【００５６】
３．上記同様、装置内の温度上昇が異常状態になった場合に、ＳＷＣＯＲＥ内にあらかじめ電源供給に対する優先度付けが行われており、低優先部分から順次電源供給を停止させることにより縮退運転をさせ、重要な接続相手であるサーバや幹線ＬＡＮへのパスを極力ダウンさせないようにする。
【００５７】
４．上記の温度異常時の縮退運転において、ＳＷＣＯＲＥの全ての部分への電源供給を停止させねばならない状態となっても、ＭＩＩ−ＳＷを制御することにより、マネジャとの通信を続行可能にする。
【００５８】
５．ＡＧＥＮＴがＳＷＣＯＲＥのＰＨＹ１〜ＰＨＹｎの状態を監視し、すべてのポートが停止状態（接続されていない状態、接続端末の電源が落ちている状態、オフライン状態）の場合には、ＳＷＣＯＲＥを電源制御部から切り離してＳＷＣＯＲＥへの電源供給を停止させ、ＡＧＥＮＴとＭＩＩ−ＳＷ、その先のＰＨＹにのみ通電することにより、夜間等の無駄な電力消費を低減させる。
【００５９】
（動作の説明）
以下に上記した構成の動作を説明する。図１に示すマネジャＭ２１が、スイッチングハブＳＷ−１（１００）を監視している状態で、動作を説明する。Ｍ２１から送信された監視用フレームは、ＳＷ−２（１０１）を経由して、ＳＷ−１（１００）のポート１（ＣＮ１）に入力される。ＣＮ１に入力したフレームは、ＰＨＹ１でデジタル信号化され、ＭＩＩ−ＳＷ１に出力される。ＭＩＩ−ＳＷ１は、受信した信号をＭＡＣ１，ＭＡＣｍ両方に送信する。ＭＡＣｍは、受信信号からフレームを抽出し、宛先アドレスをチェックする。宛先アドレスが自分当てであった場合、ＭＥＭのＭＡＣｍにあらかじめ予約されたエリアへそのフレームを書きこみ、ＭＰＵへ受信を通知する。
【００６０】
一方、ＭＡＣ１は、入力信号からフレームを抽出し、ＳＷＣＴＲＬへ出力する。ＳＷＣＴＲＬでは、入力フレームから宛先情報の検索と送信元情報の登録をＡＲＬへ行い、ＡＲＬにより検索された宛先ポート番号へそのフレームを転送しようとする。この場合、宛先は自分自身であったため、受信フレームはＣＮＴ２へ出力される。ＣＮＴ２では、ＳＷＣＴＲＬから入力したフレームをＢＵＳ１のアクセス権を獲得し、ＭＥＭのＭＡＣｍとは異なるエリアに書きこむとともに、ＭＰＵへフレームを書きこんだことを通知する。
【００６１】
ＭＰＵでは、ＣＮＴ２から書きこまれたフレームがある間は、ＭＡＣｍが書きこんだフレームの解析は行わず、ＣＮＴ２からのフレームのみプロトコル解析、検査を行う。その結果、Ｍ２１からの監視フレームの読み出しであると判断し、その応答フレームをＭＥＭへ書きこみ、ＣＮＴ２へ送信要求を行う。ＣＮＴ２からＭ２１までは受信時とは逆のルートで持って、Ｍ２１まで転送される。
【００６２】
ここで、ＳＷＣＴＲＬ内の一部の部品に故障が発生し、正常にスイッチ転送できない状態になったとする。
【００６３】
ＭＰＵでは、ＣＮＴ３経由で、装置内の状態を常時監視しており、ＳＷＣＴＲＬが正常状態でないことを検知する場合と、ＭＡＣｍから受信通知があるが、ＣＮＴ２からの受信通知が無い場合の２つでＳＷＣＴＲＬの異常を検知する。そこで、装置内の異常を検知すると、ＭＡＣｍからの受信フレームの処理を行うとともに、ＭＩＩ−ＳＷ１の送信用選択回路（図３のＳＥＬ部分）ですべてＢからＡ側を選択させるようにすることによって、ＭＡＣｍからフレームを送信させるようにする。これによって、ＭＡＣ１，ＳＷＣＴＲＬ，ＡＲＬ，ＣＮＴ２の異常により、監視不能状態になることを防ぐことが可能となる。
【００６４】
ＭＩＩ−ＳＷ１を切り替えた後、ＭＰＵは、本装置に異常が発生し、通信ができなくなったことをＭ２１へ通知することが可能となり、ネットワーク内の異常箇所の特定と復旧に早急な対応が可能となる。
【００６５】
なお、図２の構成では、ポート１に必ずネットワークマネジャから送られてくるフレームが受信できるようにシステムを構成しなければならないが、図５に示すようにすべてのポートにメディアスイッチを置き、ＡＲＬの内容をＭＰＵが読み出すことによって、どのポートの先にＭ２１がいるのかを判断し、該当するポートのＭＩＩ−ＳＷのＯＥをオンすることによって、図２の構成と同様の動作をすることが可能となる。
【００６６】
次に、ＳＷ−１内のＡＧＥＮＴ部分にあるＴＨＭによって、装置内の温度に異常を検知した場合の動作を説明する。ＳＷ−１内は図４のように細かく電源制御可能なように構成されている。温度異常を検知したＭＰＵは、まず、最も優先度が低く設定されたポートへ電源を供給するＰＳ−ｎに対し、電源供給を停止させるように指令を出す。また、動作を停止させたことをＭ２１へ通知する。
【００６７】
それでも、温度異常状態が継続している場合には、次の低優先度の電源供給を停止させる。最終的には、ＡＧＥＮＴとＭ２１への通信路を確保する部分（ＡＧＥＮＴ，ＭＩＩ−ＳＷ１，ＰＨＹ１）以外のすべての電源の供給を停止させる。これによって装置内の温度が異常になった場合においても、徐々に縮退運転できるようにするとともに、ネットワークマネジャにその状態を通知できるようにすることを可能とする。
【００６８】
また、電源制御の分け方を更に細かくし、ＭＡＣ部分とＰＨＹ部分を分け、ＣＮＴ３により各ＰＨＹの状態を監視し、接続されていなかったり、接続相手の電源がＯＦＦされている場合には、該当するＭＡＣの電源供給を停止させ、すべてのポートが接続相手が未接続状態であった場合には、ＡＧＥＮＴとＰＨＹ部分を残して、すべての電源供給を停止させる。これにより、夜間等の無駄な消費電力を少なくすることが可能となる。
【００６９】
【発明の効果】
本発明によれば、
（１）スイッチング部分に異常があっても、マネジャから管理が続行でき、異常箇所の特定が行える。
【００７０】
（２）冷却のための強制空冷装置を不要とすることにより、ランニングコストを低減させることができる。
【００７１】
（３）夜間等のほとんど無通信状態での無駄な電力消費を低減させるとともに、高温状態を防ぐことにより、通信異常を低減させることができる。
【００７２】
（４）冷却装置の故障によるネットワークダウンタイムの増大をなくすことができる。
【図面の簡単な説明】
【図１】本発明の一実施形態に係るＬＡＮ間接続装置を適用したネットワーク構成を示す図である。
【図２】スイッチングハブのハードウェア構成を示す図である。
【図３】図２に示すメディアスイッチ部ＭＩＩ−ＳＷ及びその周辺の構成を示す図である。
【図４】電源制御部の構成例を示す図である。
【図５】スイッチングハブの第２のハードウェア構成例を示す図である。
【符号の説明】
１００…スイッチングハブＳＷ−１、
１０１…スイッチングハブＳＷ−２、
１０２…スイッチングハブＳＷ−３、
Ｍ２１…ネットワークマネジャ、
Ｓ２１…サーバコンピュータ、
Ｐ１１〜Ｐ１ｎ、Ｐ３１〜Ｐ３ｎ…端末、
１０１−１…被ネットワーク管理部（エージェント）、
１０１−２…スイッチ型ＬＡＮ間接続制御部（スイッチングコア）、
Ｍ１１−ＳＷ１…メディアスイッチ部、
ＡＲＬ…アドレスとポート番号を登録・検索する部分、
ＳＷＣＴＲＬ…スイッチング制御部、
ＭＡＣ１〜ＭＡＣｎ…メディアアクセス制御部、
ＰＨＹ１〜ＰＨＹｎ…物理制御部（メディア送受信部）、
ＣＮ１〜ＣＮｎ…コネクタ、
ＭＰＵ…マイクロプロセッサ、
ＴＨＭ…装置内の温度監視を行なう部分、
ＭＥＭ…メモリ、
ＣＮＴ１…ＭＰＵとＳＷＣＴＲＬの制御部分間のインタフェース、
ＣＮＴ２…ＭＥＭへの転送を制御する部分、
ＣＮＴ３…ＭＰＵとＭＡＣ１〜ＭＡＣｎの制御部分間のインタフェース、
ＣＮＴ４…ＭＰＵとＭ１１−ＳＷ１の制御部分間のインタフェース、
ＭＡＣｍ…メディアアクセス制御部。
【図１】
0004253085.tif 000002
【図２】
0004253085.tif 000003
【図３】
0004253085.tif 000004
【図４】
0004253085.tif 000005
【図５】
0004253085.tif 000006